(57)【特許請求の範囲】
【請求項１】
双方向予測符号化画像と双方向予測符号化画像以外の画像との組を記録単位として映像信号が記録された媒体から上記各組の時間的順序が逆となるように映像信号を再生する再生手段と、
上記再生手段により再生された再生映像信号を復号処理する復号化手段と、
上記再生映像信号中の上記各組の内部の双方向予測符号化画像と双方向予測符号化画像以外の画像とを分解し、記録時に後に記録された双方向予測符号化画像を前に記録された組に配置し、予測方向を逆向きとして上記復号化処理を行うように、上記復号化手段を制御する制御手段と
を備えることを特徴とする映像信号再生装置。
【請求項２】
上記復号化手段の出力信号におけるフレーム内のフィールドの順番を入れ換える変換手段を更に備えることを特徴とする請求項１記載の映像信号再生装置。
【請求項３】
上記双方向予測符号化画像以外の画像は画像内符号化画像であることを特徴とする請求項１記載の映像信号再生装置。
【請求項４】
双方向予測符号化画像と双方向予測符号化画像以外の画像との組を記録単位として映像信号が記録された媒体から上記各組の時間的順序が逆となるように映像信号を再生し、
上記再生された再生映像信号中の上記各組の内部の双方向予測符号化画像と双方向予測符号化画像以外の画像とを分解し、
記録時に後に記録された双方向予測符号化画像を前に記録された組に配置し、予測方向を逆向きとして復号化処理を行う
ことを特徴とする映像信号再生方法。
【請求項５】
双方向予測符号化画像と双方向予測符号化画像以外の画像との組を単位として、上記各組の時間的順序が逆となるように再生された映像信号を復号処理する復号化手段と、
上記再生映像信号中の上記各組の内部の双方向予測符号化画像と双方向予測符号化画像以外の画像とを分解するとともに、符号化順序で後に符号化された双方向予測符号化画像を前に符号化された組に配置して、予測方向を逆向きとして上記復号化処理をするように、上記復号化手段を制御する制御手段と
を備えることを特徴とする映像信号復号化装置。
【請求項６】
上記復号化手段の出力信号におけるフレーム内のフィールドの順番を入れ換える変換手段を更に備えることを特徴とする請求項５記載の映像信号復号化装置。
【請求項７】
上記双方向予測符号化画像以外の画像は画像内符号化画像であることを特徴とする請求項６記載の映像信号復号化装置。
【請求項８】
双方向予測符号化画像と双方向予測符号化画像以外の画像との組を単位として、上記各組の時間的順序が逆となるように再生された再生映像信号中の上記各組の内部の双方向予測符号化画像と双方向予測符号化画像以外の画像とを分解し、
記録時に後に記録された双方向予測符号化画像を前に記録された組に配置し、予測方向を逆向きとして復号化処理を行う
ことを特徴とする映像信号復号化方法。
【請求項９】
双方向予測符号化画像と双方向予測符号化画像以外の画像との組を記録単位として映像信号が記録された媒体を再生して得られた再生画像データが入力される第１の信号入力端子と、
上記媒体の再生時に上記各組の時間的順序が逆となるように映像信号を再生することを示す逆転再生モード情報が入力される第２の信号入力端子と、
上記再生映像信号中の上記各組の内部の双方向予測符号化画像と双方向予測符号化画像以外の画像とを分解し、上記第２の信号入力端子からの逆転再生モード情報が入力されたときには符号化順序で後に符号化された双方向予測符号化画像を前に符号化された組に配置する並び換え手段と、
上記並び換え手段からの再生画像データの双方向予測符号化画像と双方向予測符号化画像以外の画像との組を単位として映像信号を復号処理する復号化手段と、
上記第２の信号入力端子からの逆転再生モード情報が入力されたときには上記復号化手段での復号処理の際の予測方向を逆向きに切り換える予測方向切換手段と
を備えること特徴とする映像信号復号化装置。
【請求項１０】
上記復号化手段の出力信号が入力され、上記第２の信号入力端子からの逆転再生モード情報が入力されたときにはフレーム内のフィールドの順番を入れ換えて出力するフレーム／フィールド変換手段を更に備えることを特徴とする請求項９記載の映像信号復号化装置。
【請求項１１】
上記双方向予測符号化画像以外の画像は画像内符号化画像または前方予測符号化画像であることを特徴とする請求項９記載の映像信号復号化装置。
【請求項１２】
双方向予測符号化画像と双方向予測符号化画像以外の画像との組を記録単位として映像信号が記録された媒体を再生して得られた再生画像データが入力される第１の信号入力工程と、
上記媒体の再生時に上記各組の時間的順序が逆となるように映像信号を再生することを示す逆転再生モード情報が入力される第２の信号入力工程と、
上記再生映像信号中の上記各組の内部の双方向予測符号化画像と双方向予測符号化画像以外の画像とを分解し、上記第２の信号入力工程からの逆転再生モード情報が入力されたときには符号化順序で後に符号化された双方向予測符号化画像を前に符号化された組に配置する並び換え工程と、
上記並び換え工程からの再生画像データの双方向予測符号化画像と双方向予測符号化画像以外の画像との組を単位として映像信号を復号処理する復号化工程と、
上記第２の信号入力工程からの逆転再生モード情報が入力されたときには上記復号化工程での復号処理の際の予測方向を逆向きに切り換える予測方向切換工程と
を備えること特徴とする映像信号復号化方法。
【請求項１３】
双方向予測符号化画像と双方向予測符号化画像以外の画像との組として映像信号を符号化処理した符号化ストリームを、上記各組の時間的順序が逆となるように再生して得られる再生符号化ストリームを復号化処理する復号化手段と、
上記再生符号化ストリーム中の上記各組の内部の双方向予測符号化画像と双方向予測符号化画像以外の画像とを分解し、符号化順序で後に符号化処理された双方向予測符号化画像を前に符号化処理された組に配置し、予測方向を逆向きとして上記復号化処理を行うように、上記復号化手段を制御する制御手段と
を備えることを特徴とする映像信号再生装置。
【請求項１４】
双方向予測符号化画像と双方向予測符号化画像以外の画像との組として映像信号を符号化処理した符号化ストリームを、上記各組の時間的順序が逆となるように再生して得られる再生符号化ストリームを復号化処理する復号化工程と、
上記再生符号化ストリーム中の上記各組の内部の双方向予測符号化画像と双方向予測符号化画像以外の画像とを分解し、符号化順序で後に符号化処理された双方向予測符号化画像を前に符号化処理された組に配置し、予測方向を逆向きとして上記復号化処理を行うように、上記復号化工程を制御する制御工程と
を備えることを特徴とする映像信号再生方法。
【発明の詳細な説明】
【０００１】
【産業上の利用分野】
本発明は、フレーム間予測符号化を用いて圧縮された圧縮画像データを逆転再生する映像信号再生装置、映像信号復号化装置及び方法に関する。
【０００２】
【従来の技術】
従来、動画像データは情報量が極めて多いため、この情報を長時間記録する場合には、映像信号を高能率符号化して記録すると共に、この記録された信号を読み出したときに能率良く復号化する手段が不可欠となる。このような要求に応えるべく、映像信号の相関を利用した高能率符号化方式が提案されており、この１つにＭＰＥＧ(Moving Picture Experts Group)方式がある。
【０００３】
このＭＰＥＧ方式は、先ず、フレーム間相関を利用して映像信号の画像フレーム間の差分を取ることにより時間軸方向の冗長度を落とし、その後、ライン相関を利用し、離散コサイン変換（以下、ＤＣＴという）等の処理を用いて空間軸方向の冗長度を落とすことにより映像信号を能率良く符号化している。
【０００４】
このＭＰＥＧ方式において、フレーム間相関を利用したときに、２つのフレーム画像の差分信号のみを伝送しただけでは元の画像を復元することはできないので、各フレーム画像を、Ｉピクチャ(Intra Picture: 画像内符号化又はイントラ符号化画像）、Ｐピクチャ(Predictional Picture:前方予測符号化画像）、及びＢピクチャ(Bidirectionally predictive Picture:双方向予測符号化画像）の３種類のいずれかのピクチャとし、これらの３つのピクチャのフレーム画像を組み合わせて圧縮符号化する方法が用いられている。Ｉピクチャは、そのフレーム画像のみによって圧縮された画像データであり、Ｐピクチャは、そのフレーム画像とそのフレーム画像以前でかつ最も近いＩピクチャのフレーム画像とを基に圧縮された画像データであり、Ｂピクチャは、そのフレーム画像とそのフレーム画像の前後でそれぞれ最も近いＩピクチャ、Ｐピクチャのフレーム画像の合計３フレームの画像を基に圧縮されたデータである。このとき、フレーム毎の画像データを記録再生処理するときの単位をグループオブピクチャと呼ぶ。
【０００５】
このように、映像信号に圧縮符号化を行う符号化装置、及び記録された圧縮符号化データを復号化する復号化装置の概略的な構成を図４に示す。
【０００６】
図４の信号入力端子２１から入力される映像信号は、符号化装置２０で圧縮符号化されて記録媒体３１に記録される。また、記録媒体３１に記録された圧縮符号化データは、復号化装置４０で復号化され、再生画像信号が信号出力端子４８から出力される。
【０００７】
例えば、符号化装置２０に、信号入力端子２１からＩピクチャ符号化が指定されたフレーム画像及びＢピクチャ符号化が指定されたフレーム画像から成る原画像の映像信号が図５のＡに示す順でフレーム画像毎に入力される場合には、Ｉピクチャ符号化が指定されたフレーム画像の映像信号は、フレームメモリ２２をバイパスして、ＤＣＴ回路２４に送られてＤＣＴ処理が施され、量子化回路２５でＤＣＴ係数が量子化された後に、可変長符号化回路２６で可変長符号化される。この可変長符号化された画像データは記録媒体３１に記録される。
【０００８】
このとき、量子化回路２５でＤＣＴ係数が量子化された画像データは、逆量子化回路２７にも送られて逆量子化が行われ、ＩＤＣＴ回路２８で逆ＤＣＴ処理された後に、フレームメモリ２９に書き込まれる。このような処理をローカルデコードという。
【０００９】
具体的には、図５のＡの２枚のＩピクチャ符号化が指定されたフレーム画像である２Ｉピクチャ及び４Ｉピクチャの映像信号がローカルデコードされたところで、Ｂピクチャ符号化が指定されたフレーム画像である３Ｂピクチャの映像信号がフレームメモリ２２で２フレーム分遅延されて減算器２３に入力される。
【００１０】
また、動き補償回路３０では、２枚の２Ｉピクチャ及び４Ｉピクチャによって、図５のＡの上部の矢印で示す正方向及び逆方向の動き補償予測がなされるように、フレームメモリ２９に記憶されているローカルデコードされた２Ｉピクチャ及び４Ｉピクチャのそれぞれの動き補償が行われて、その平均がとられた後に動き補償出力として減算器２３に出力される。
【００１１】
減算器２３では、動き補償回路３０からの出力と３Ｂピクチャとの差分が取られて動き補償予測符号化が行われる。これ以後は、ＢピクチャもＩピクチャと同様に、ＤＣＴ回路２４でＤＣＴ処理が施され、量子化回路２５でＤＣＴ係数が量子化された後に、可変長符号化回路２６で可変長符号化されて、記録媒体３１に記録される。このようにして、記録媒体３１に記録された画像データ列、即ち記録再生データは、図５のＢに示す順番と成る。
【００１２】
ここで、太線で囲まれた画像データの単位をグループオブピクチャとする。また、説明を簡略化するために、グループオブピクチャはＩピクチャ及びＢピクチャから成るものとする。
【００１３】
また、この記録媒体３１に記録された画像データ列は、フレーム毎に再生されて復号化装置４０に送られる。
【００１４】
先ず、この復号化装置４０に送られたＩピクチャの画像データは、可変長復号化回路４１で可変長復号化され、逆量子化回路４２で逆量子化された後、ＩＤＣＴ回路４３で逆ＤＣＴ処理が施されてフレームメモリ４５に書き込まれる。このフレームメモリ４５に書き込まれたＩピクチャの映像信号は２フレーム遅延されて信号出力端子４８から出力される。また、ＩＤＣＴ回路４３からのＩピクチャの映像信号は、フレームメモリ４６にも書き込まれる。
【００１５】
具体的には、例えばフレームメモリ４６に２枚の２Ｉピクチャ及び４Ｉピクチャの映像信号が書き込まれたところで、３Ｂピクチャの画像データが記録媒体３１から読み出されて、可変長符号化回路４１で可変長符号化され、逆量子化回路４２で逆量子化された後にＩＤＣＴ回路４３で逆ＤＣＴ処理が施されて加算器４４に送られる。ここで、フレームメモリ４６に記憶されている２枚のＩピクチャによる動き補償予測を行うために、動き補償回路４７でそれぞれのＩピクチャの動き補償がなされて平均が取られ、加算器４４に送られる。加算器４４では、ＩＤＣＴ回路４３からのＢピクチャの映像信号と、動き補償回路４７からの出力とが加算されて、フレームメモリ４５をバイパスして信号出力端子４８から出力される。この出力されるフレーム画像の順番は、図５のＣに示すものとなる。
【００１６】
尚、上述した復号化装置におけるフレームメモリ４５、４６は、機能を説明するために分割して図示されているが、実際には同一のメモリによって処理が行われる。
【００１７】
また、上述のように映像信号が符号化及び復号化される装置において、逆転再生動作を行う場合を考える。
【００１８】
逆転再生動作を行う場合には、記録媒体から再生する画像データは、図６のＡに示す順番でグループオブピクチャ毎に逆転再生されて復号化装置に入力される。このグループオブピクチャ毎の画像データに対してグループオブピクチャ毎に逆転される並べ換え処理が行われ、図６のＢに示す並べ換えデータ１及び図６のＤに示す並べ換えデータ２を得る。そして、この２系統の並べ換えデータ１、２のそれぞれの画像データに対して復号化処理を施すことにより、図６のＣに示す再生画像１の映像信号及び図６のＥに示す再生画像２の映像信号を得る。これらの再生画像１、２を用いて、さらに並べ換え処理を行いながら、再生画像１及び再生画像２の画像データを切り換えることにより、図６のＦに示す逆転再生された画像の映像信号を得ることができる。
【００１９】
【発明が解決しようとする課題】
ところで、上述した逆転再生動作においては、画像データに対する復号化処理が記録された状態でしか行うことができない。よって、例えば、図６のＢの並べ換えデータ１を得る復号化処理においては、図６のＣに示す再生画像データの内の６Ｉピクチャ及び７Ｂピクチャの画像データを得るために、図６のＢの５Ｂピクチャ及び８Ｉピクチャの画像データを入力する必要があり、出力される画像データに対して２倍の処理時間の画像データを必要とするため、２つの復号化処理を並列して行わなければならない。これにより、２系統の復号化装置が必要となる。
【００２０】
また、図６のＢの並べ換えデータ１、図６のＤの並べ換えデータ２、及び図６のＦの逆転再生画像を得るためのそれぞれの並べ換え処理を行うために、大量のメモリが必要となる。特に、図６のＦの逆転再生画像のための並べ換え処理のためには大量のメモリを必要とする。
【００２１】
さらに、記録媒体から画像データを再生して逆転再生された映像信号を出力するまでの遅延時間が大きいという問題もある。この遅延が大きいと、可変速再生動作などにおいて、通常の再生動作から逆転再生動作への移行を行う場合には、応答性が悪くなる。
【００２２】
そこで、本発明は上述の実情に鑑み、小容量のメモリを用いた簡易な構成によって逆転再生を行うことができる映像信号再生装置、映像信号復号化装置及び方法を提供するものである。
【００２３】
【課題を解決するための手段】
本発明に係る映像信号再生装置は、双方向予測符号化画像と双方向予測符号化画像以外の画像との組を記録単位として映像信号が記録された媒体から上記各組の時間的順序が逆となるように映像信号を再生する再生手段と、上記再生手段により再生された再生映像信号を復号処理する復号化手段と、上記再生映像信号中の上記各組の内部の双方向予測符号化画像と双方向予測符号化画像以外の画像とを分解し、記録時に後に記録された双方向予測符号化画像を前に記録された組に配置し、予測方向を逆向きとして上記復号化処理を行うように、上記復号化手段を制御する制御手段とを備えることにより、上述した課題を解決する。
また、本発明に係る映像信号再生方法は、双方向予測符号化画像と双方向予測符号化画像以外の画像との組を記録単位として映像信号が記録された媒体から上記各組の時間的順序が逆となるように映像信号を再生し、上記再生された再生映像信号中の上記各組の内部の双方向予測符号化画像と双方向予測符号化画像以外の画像とを分解し、記録時に後に記録された双方向予測符号化画像を前に記録された組に配置し、予測方向を逆向きとして復号化処理を行うことにより、上述した課題を解決する。
本発明に係る映像信号復号化装置は、双方向予測符号化画像と双方向予測符号化画像以外の画像との組を単位として、上記各組の時間的順序が逆となるように再生された映像信号を復号処理する復号化手段と、上記再生映像信号中の上記各組の内部の双方向予測符号化画像と双方向予測符号化画像以外の画像とを分解するとともに、符号化順序で後に符号化された双方向予測符号化画像を前に符号化された組に配置して、予測方向を逆向きとして上記復号化処理をするように、上記復号化手段を制御する制御手段とを備えることにより、上述した課題を解決する。
また、本発明に係る映像信号復号化方法は、双方向予測符号化画像と双方向予測符号化画像以外の画像との組を単位として、上記各組の時間的順序が逆となるように再生された再生映像信号中の上記各組の内部の双方向予測符号化画像と双方向予測符号化画像以外の画像とを分解し、記録時に後に記録された双方向予測符号化画像を前に記録された組に配置し、予測方向を逆向きとして復号化処理を行うことにより、上述した課題を解決する。
本発明に係る映像信号復号化装置は、双方向予測符号化画像と双方向予測符号化画像以外の画像との組を記録単位として映像信号が記録された媒体を再生して得られた再生画像データが入力される第１の信号入力端子と、上記媒体の再生時に上記各組の時間的順序が逆となるように映像信号を再生することを示す逆転再生モード情報が入力される第２の信号入力端子と、上記再生映像信号中の上記各組の内部の双方向予測符号化画像と双方向予測符号化画像以外の画像とを分解し、上記第２の信号入力端子からの逆転再生モード情報が入力されたときには符号化順序で後に符号化された双方向予測符号化画像を前に符号化された組に配置する並び換え手段と、上記並び換え手段からの再生画像データの双方向予測符号化画像と双方向予測符号化画像以外の画像との組を単位として映像信号を復号処理する復号化手段と、上記第２の信号入力端子からの逆転再生モード情報が入力されたときには上記復号化手段での復号処理の際の予測方向を逆向きに切り換える予測方向切換手段とを備えることにより、上述した課題を解決する。
また、本発明に係る映像信号復号化方法は、双方向予測符号化画像と双方向予測符号化画像以外の画像との組を記録単位として映像信号が記録された媒体を再生して得られた再生画像データが入力される第１の信号入力工程と、上記媒体の再生時に上記各組の時間的順序が逆となるように映像信号を再生することを示す逆転再生モード情報が入力される第２の信号入力工程と、上記再生映像信号中の上記各組の内部の双方向予測符号化画像と双方向予測符号化画像以外の画像とを分解し、上記第２の信号入力工程からの逆転再生モード情報が入力されたときには符号化順序で後に符号化された双方向予測符号化画像を前に符号化された組に配置する並び換え工程と、上記並び換え工程からの再生画像データの双方向予測符号化画像と双方向予測符号化画像以外の画像との組を単位として映像信号を復号処理する復号化工程と、上記第２の信号入力工程からの逆転再生モード情報が入力されたときには上記復号化工程での復号処理の際の予測方向を逆向きに切り換える予測方向切換工程とを備えること特徴とする。
本発明に係る映像信号再生装置は、双方向予測符号化画像と双方向予測符号化画像以外の画像との組として映像信号を符号化処理した符号化ストリームを、上記各組の時間的順序が逆となるように再生して得られる再生符号化ストリームを復号化処理する復号化手段と、上記再生符号化ストリーム中の上記各組の内部の双方向予測符号化画像と双方向予測符号化画像以外の画像とを分解し、符号化順序で後に符号化処理された双方向予測符号化画像を前に符号化処理された組に配置し、予測方向を逆向きとして上記復号化処理を行うように、上記復号化手段を制御する制御手段とを備えることにより、上述した課題を解決する。
また、本発明に係る映像信号再生方法は、双方向予測符号化画像と双方向予測符号化画像以外の画像との組として映像信号を符号化処理した符号化ストリームを、上記各組の時間的順序が逆となるように再生して得られる再生符号化ストリームを復号化処理する復号化工程と、上記再生符号化ストリーム中の上記各組の内部の双方向予測符号化画像と双方向予測符号化画像以外の画像とを分解し、符号化順序で後に符号化処理された双方向予測符号化画像を前に符号化処理された組に配置し、予測方向を逆向きとして上記復号化処理を行うように、上記復号化工程を制御する制御工程とを備えることを特徴とする。
【００２４】
【作用】
本発明においては、双方向予測符号化画像と双方向予測符号化画像以外の画像との組を記録単位として映像信号が記録された媒体から逆転再生し、この逆転再生された再生映像信号中の上記各組の内部の双方向予測符号化画像と双方向予測符号化画像以外の画像とを分解し、記録時に後に記録された双方向予測符号化画像を前に記録された組に配置する並べ換えを行って、予測方向を逆向きとして復号化処理を行うことにより、逆転再生動作を行う。
【００２５】
【実施例】
以下、本発明の好ましい実施例について、図面を参照しながら説明する。図１には、本発明に係る映像信号復号化装置の概略的な構成を示す。
【００２６】
この映像信号復号化装置の信号入力端子１には、図示しない記録媒体から、画像データの記録単位であるグループオブピクチャの時間的順序が逆となるように画像データが再生されて入力される。この入力された再生画像データは、並び換え回路３に送られる。
【００２７】
尚、グループオブピクチャは、双方向予測符号化画像であるＢピクチャと、それ以外の画像から構成されるものであり、この実施例においては、１枚のＢピクチャと１枚の画像内符号化画像であるＩピクチャとから構成されるものとする。
【００２８】
ここで、信号入力端子２からは、信号入力端子１からの再生画像データの逆転再生動作を行うか否かを示す逆転再生モード情報が入力されており、この逆転再生モード情報は並び換え回路３に送られる。この逆転再生モード情報が逆転再生動作を行わないことを示す場合には、この並び換え回路３ではフレーム画像の並び換えは行われずに、画像データはそのままデコーダ４に送られる。
【００２９】
また、逆転再生モード情報が逆転再生動作を行うことを示す場合には、並び換え回路３において、送られた画像データの並び換えが行われる。この画像データの並び換えでは、各グループオブピクチャの内部のＢピクチャとＩピクチャとを分解し、記録時に後に記録されたグループオブピクチャのＢピクチャを、記録時に前に記録されたグループオブピクチャに配置する。
【００３０】
具体的には、図２のＡに示すように、太線で示すグループオブピクチャ単位毎の再生画像データが入力される場合には、例えば、１０Ｉピクチャ及び９Ｂピクチャから成るグループオブピクチャは、記録時には、８Ｉピクチャ及び７Ｂピクチャから成るグループオブピクチャよりも後に記録されたものであり、この記録の際に時間的に後に記録した１０Ｉピクチャ及び９Ｂピクチャから成るグループオブピクチャの９Ｂピクチャは、記録の際に前に記録された８Ｉピクチャ及び７Ｂピクチャから成るグループオブピクチャ内の８Ｉピクチャの後に置かれる。
【００３１】
このようにして、図２のＢに示す並べ換えデータが生成される。
【００３２】
ここで、図２のＢに示す並べ換えデータは、図３のＡの原画像データを符号化時に時間的に逆方向から符号化して記録した、図３のＢに示す記録画像データと同様な順番の画像データとなっている。
【００３３】
但し、図３のＢの記録画像データにおいては、この記録画像データと共に記録されている予測方向、即ち前方向予測ベクタいわゆるフォワードベクタ及び後方向予測ベクタいわゆるバックワードベクタは、正方向に符号化されたときに画像データの中に挿入されているため、フレーム単位でのデータの並べ換えだけでは逆の定義になってしまうという問題点を持っている。また、フレーム単位では逆方向になっているが、フレーム内での時間的な順番が逆転しているという問題もある。
【００３４】
上記並べ換え回路３で並べ換えられた画像データは、デコーダ４に送られる。
【００３５】
このデコーダ４では、送られた画像データが可変長復号化され、逆量子化された後に、逆ＩＤＣＴ処理が施されることにより、Ｉピクチャ又はＢピクチャの映像信号及び予測方向が出力される。
【００３６】
Ｉピクチャの映像信号はフレームメモリ５に書き込まれる。この後、次のＩピクチャの映像信号がデコーダ４から出力されると、フレームメモリ５内に記憶されているＩピクチャの映像信号は、フレームメモリ５に従属して接続されているフレームメモリ６に移されて、上記次のＩピクチャの映像信号がフレームメモリ５に書き込まれる。
【００３７】
このようにして、２枚のＩピクチャのフレーム画像の映像信号がフレームメモリ５、６に書き込まれると、Ｂピクチャの映像信号がデコーダ４から出力されて加算器１２に送られる。また、これと同時に、Ｂピクチャの画像データと共に記録されているフォワードベクタは信号切換器７の端子ａ及び信号切換器８の端子ｂにそれぞれ入力され、バックワードベクタは信号切換器７の端子ｂ及び信号切換器８の端子ａにそれぞれ入力される。
【００３８】
これら信号切換器７、８には逆転再生モード情報が入力されており、信号切換器７、８は、この逆転再生モード情報によって切り換えられている。即ち、逆転再生モード情報が逆転再生動作を行わないことを示す場合には信号切換器７、８はそれぞれ端子ｂ側に切り換えられるが、逆転再生モード情報が逆転再生動作を行うことを示す場合には信号切換器７、８はそれぞれ端子ａ側に切り換えられる。
【００３９】
よって、逆転再生動作を行うときには、信号切換器７からはフォワードベクタが切換出力され、また、信号切換器８からはバックワードベクタが切換出力される。この信号切換器７からのフォワードベクタは動き補償回路９に入力され、信号切換器８からのバックワードベクタは動き補償回路１０に入力される。
【００４０】
ここで、例えば、図２のＢの１０Ｉピクチャの映像信号がフレームメモリ６に書き込まれ、８Ｉピクチャの映像信号がフレームメモリ５に書き込まれた後に、９Ｂピクチャの映像信号が加算器１２に送られる場合には、フレームメモリ６からの１０Ｉピクチャの映像信号は動き補償回路９に送られて前方向の動き補償予測がなされ、フレームメモリ５からの８Ｉピクチャの映像信号は動き補償回路１０に送られて後方向の動き補償予測がなされる。これら動き補償予測された映像信号は、加算器１１で加算されて平均がとられた後に加算器１２に送られ、９Ｂピクチャに加算される。
【００４１】
このように、フォワードベクタ及びバックワードベクタを入れ換えて動き補償の処理を行うことにより、上述したフォワードベクタ及びバックワードベクタの定義が逆になってしまう問題を解決している。
【００４２】
この加算器１２からの出力は、端子ｂ側に切り換えられた信号切換器１３を介してフレーム／フィールド変換回路１４に送られる。このフレーム／フィールド変換回路１４では、上述したフレーム内での時間的な順番が逆転している問題を解決するため、フレーム内のフィールドの順番が入れ換えられる。このフレーム／フィールド変換回路１４からの出力は、図２のＣに示すように逆転再生された画像の映像信号として信号出力端子１５から出力される。尚、通常の再生動作の場合でも、このフレーム／フィールド変換回路１４によるフィールドの順番の変換は必要なものである。
【００４３】
また、上記フレームメモリ５、６に記憶されて２フレーム分遅延されたＩピクチャの映像信号は、端子ａ側に切り換えられた信号切換器１３を介してフレーム／フィールド変換回路１４に送られ、フィールドの順番の入れ換えが行われた後に、順次信号出力端子１５から出力される。
【００４４】
尚、上述した実施例においては、１倍速の逆転再生動作について説明したが、より低速な逆転再生動作に関しても、上述した映像信号符号化装置における処理動作によって行うことができる。
【００４５】
よって、上記実施例の映像信号復号化装置においては、−１〜＋１倍速の再生動作を行うことが可能である。
【００４６】
また、ハードウェア構成を増やせば、正方向及び逆方向の再生動作を共に１倍速以上にすることも可能である。
【００４７】
この場合には、入力される再生画像データをフレーム単位で一時的に停止しておき、これに同期してデコーダも一時的に停止する機能を備え、また、フレーム／フィールド変換回路ではフィールド単位で停止する操作が必要となる。
【００４８】
また、上記実施例においては、Ｂピクチャ及びＩピクチャから成るグループオブピクチャ単位の画像データの逆転再生動作について説明したが、Ｉピクチャの代わりにＰピクチャを用いたグループオブピクチャ単位の画像データの逆転再生動作を行うことも考えられる。
【００４９】
【発明の効果】
以上の説明からも明らかなように、本発明に係る映像信号復号化装置は、双方向予測符号化画像と双方向予測符号化画像以外の画像との組を記録単位として映像信号が記録された媒体から上記各組の時間的順序が逆となるように映像信号を逆転再生し、この逆転再生された再生映像信号中の上記各組の内部の双方向予測符号化画像と双方向予測符号化画像以外の画像とを分解し、記録時に後に記録された双方向予測符号化画像を前に記録された組に配置し、予測方向を逆向きとして復号化処理を行うことにより、復号化装置のメモリ回路を増やすことなく、１つの復号化装置を用いた簡易な構成で、フィールド単位で逆転した逆転再生動作を行うことができる。また、復号化装置から出力される画像データの並べ換えを行うためのメモリを必要としない。さらに、再生画像データの入力から復号化されて出力されるまでの遅延時間が少ない。そのうえ、正方向の再生動作と逆転再生動作との切り換えが簡単にできる。
【図面の簡単な説明】
【図１】本発明に係る映像信号復号化装置の概略的な構成図である。
【図２】逆転再生される画像の順番を示す図である。
【図３】時間的に逆方向から符号化したときの記録データを示す図である。
【図４】従来の映像信号符号化装置及び復号化装置の概略的な構成図である。
【図５】通常の記録・再生時の画像の順番を示す図である。
【図６】逆転再生時の画像の順番を示す図である。
【符号の説明】
３  並び換え回路
４  デコーダ
５、６  フレームメモリ
７、８、１３  信号切換器
９、１０  動き補償回路
１１、１２  加算器
１４  フレーム／フィールド変換回路
【図１】
0003663661.tif 000002
【図２】
0003663661.tif 000003
【図３】
0003663661.tif 000004
【図４】
0003663661.tif 000005
【図５】
0003663661.tif 000006
【図６】
0003663661.tif 000007